(57)【要約】  呼吸可能なガスを個人に投与するための装置は、呼吸器を囲むために顔面領域に接触して受け取ることができる本体、真空ホース、および掃気弁を含む。本体はカップ形であり、第１の側部および第２の側部を含む。吸入部材は本体の第１の側部から伸びる。放出部材は本体の第２の側部から伸びる。真空ホースは真空源を放出部材に連結するためにある。掃気弁は真空ホースに連結する。吸入部材は、呼吸可能なガスを本体へ投与するためにあり、放出部材は、排気ガスを本体から真空ホースに排出するためにあり、そして掃気弁は、排気ガスをそれを通して真空ホースから大気に排出するためにある。【選択図】図５
2019517876.tif 000002
【特許請求の範囲】
【請求項１】
個人に呼吸可能なガスを投与するための、ならびに前記個人から排気ガスを排出するための装置であって、前記個人は、呼吸可能なガスを受けるおよび排気ガスを放出するための呼吸器を含む顔面領域を含み、前記装置は、
カップ形であり、第１の側部および第２の側部を含み、前記呼吸器を囲むために顔面領域に接触して受け取ることができる本体と、
前記本体の前記第１の側部から伸びる吸入部材と、
前記本体の前記第２の側部から伸びる放出部材と、
真空源を前記放出部材に連結するための真空ホースと、
前記真空ホースに連結する掃気弁と
を備え、
前記吸入部材は、呼吸可能なガスを前記本体へ投与するためにあり、前記放出部材は、排気ガスを前記本体から前記真空ホースに排出するためにあり、且つ前記掃気弁は、排気ガスを前記真空ホースから大気に排出するためにある、
装置。
【請求項２】
それを通る大気から前記真空ホースへのガス流を使用不能にするために前記掃気弁を更に備える、請求項１に記載の装置。
【請求項３】
前記本体は、本体の内部を画成する内面を含み、
前記吸入部材は、更に、呼吸可能なガスを前記吸入部材の入口から前記内部へ投与するためにあり、
前記放出部材は、更に、排気ガスを前記内部から前記放出部材の入口を通って前記真空ホースに排出するためにあり、
前記本体の前記内面の凹形表面輪郭は、前記吸入部材の前記出口から前記放出部材の前記入口まで伸び、
呼吸可能なガスが、前記吸入部材の前記出口から前記内部に加えられるときに、前記凹形表面輪郭は、前記吸入部材の前記出口と協働して、前記吸入部材の前記出口から前記内部への呼吸可能なガスの層流を形成し、且つ
排気ガスが前記内部に吐き出されるときに、前記凹形表面輪郭は、前記放出部材の前記入口と協働して、前記内部から前記放出部材の前記入口への排気ガスの層流を形成する
ことを更に含む、請求項１に記載の装置。
【請求項４】
個人に呼吸可能なガスを投与するための、ならびに前記個人から排気ガスを排出するための装置であって、前記個人は、呼吸可能なガスを受けるおよび排気ガスを放出するための呼吸器を含む顔面領域を含み、前記装置は、
カップ形であり、第１の側部および第２の側部を含み、前記呼吸器を囲むために顔面領域に接触して受け取ることができる本体と、
前記本体の前記第１の側部から伸びる吸入部材と、
前記本体の前記第２の側部から伸びる放出部材と、
真空源を前記放出部材に連結する真空ホースと、
前記放出部材と前記真空源との間で前記真空ホースに連結する掃気弁と
を備え、
前記吸入部材は、呼吸可能なガスを前記本体へ投与するためにあり、前記放出部材は、排気ガスを前記本体から前記真空ホースに排出するためにあり、且つ前記掃気弁は、排気ガスをそれを通して前記放出部材と前記真空源との間で前記真空ホースから大気に排出するためにある、
装置。
【請求項５】
それを通る大気から前記真空ホースへのガス流を使用不能にするために前記掃気弁を更に備える、請求項４に記載の装置。
【請求項６】
前記本体は、本体の内部を画成する内面を含み、
前記吸入部材は、更に、呼吸可能なガスを前記吸入部材の入口から前記内部へ投与するためにあり、
前記放出部材は、更に、排気ガスを前記内部から前記放出部材の入口を通って前記真空ホースに排出するためにあり、
前記本体の前記内面の凹形表面輪郭は、前記吸入部材の前記出口から前記放出部材の前記入口まで伸び、
呼吸可能なガスが、前記吸入部材の前記出口から前記内部に加えられるときに、前記凹形表面輪郭は、前記吸入部材の前記出口と協働して、前記吸入部材の前記出口から前記内部への呼吸可能なガスの層流を形成し、且つ
排気ガスが前記内部に吐き出されるときに、前記凹形表面輪郭は、前記放出部材の前記入口と協働して、前記内部から前記放出部材の前記入口への排気ガスの層流を形成する
ことを更に含む、請求項４に記載の装置。
【請求項７】
個人に呼吸可能なガスを投与するための、ならびに前記個人から排気ガスを排出するための装置であって、前記個人は、呼吸可能なガスを受けるおよび排気ガスを放出するための呼吸器を含む顔面領域を含み、前記装置は、
カップ形であり、第１の側部および第２の側部を含み、前記呼吸器を囲むために顔面領域に接触して受け取ることができる本体と、
前記本体の前記第１の側部から伸びる吸入部材と、
前記本体の前記第２の側部から伸びる放出部材と、
ガス供給源を前記吸入部材に連結する送出ホース、真空源を前記放出部材に連結する真空ホース、および前記放出部材と前記真空源との間で前記真空ホースに連結する掃気弁を含む人工呼吸器回路であって、前記送出ホースは、呼吸可能なガスを前記ガス供給源から前記吸入部材まで送出するためにあり、前記吸入部材は、呼吸可能なガスを前記本体へ投与するためにあり、前記放出部材は、排気ガスを前記本体から前記真空ホースに排出するためにあり、且つ前記掃気弁は、排気ガスをそれを通って前記放出部材と前記真空源との間で前記真空ホースから大気に排出するためにある、人工呼吸器回路と
を備える、装置。
【請求項８】
それを通る大気から前記真空ホースへのガス流を使用不能にするために前記掃気弁を更に備える、請求項７に記載の装置。
【請求項９】
前記本体は、本体の内部を画成する内面を含み、
前記吸入部材は、更に、呼吸可能なガスを前記吸入部材の入口から前記内部へ投与するためにあり、
前記放出部材は、更に、排気ガスを前記内部から前記放出部材の入口を通って前記真空ホースに排出するためにあり、
前記本体の前記内面の凹形表面輪郭は、前記吸入部材の前記出口から前記放出部材の前記入口まで伸び、
呼吸可能なガスが、前記吸入部材の前記出口から前記内部に加えられるときに、前記凹形表面輪郭は、前記吸入部材の前記出口と協働して、前記吸入部材の前記出口から前記内部への呼吸可能なガスの層流を形成し、且つ
排気ガスが前記内部に吐き出されるときに、前記凹形表面輪郭は、前記放出部材の前記入口と協働して、前記内部から前記放出部材の前記入口への排気ガスの層流を形成する
ことを更に含む、請求項７に記載の装置。
【発明の詳細な説明】
【技術分野】
【０００１】
本発明は、呼吸または吸入システム、より詳細には、医用および歯科用のガスの投与に用いる装置に関する。
【背景技術】
【０００２】
呼吸可能なガスを個人に投与するための吸入または呼吸システムは、周知である。特に重要であるのは、麻酔ガス、鎮痛ガス、酸素、および亜酸化窒素等の医用および歯科用のガスを患者に投与するために医学および歯科の技術で使用される装置である。
【０００３】
通常、吸入システムは、ガスを患者の外部呼吸器に届ける選択された加圧ガス源および手段を含む。マスク等の呼吸装置は、鼻および／または口を囲むために患者の顔に装着される。携帯用または固定式でありえる源は、通常、流量調整器を含む。通常可撓性ホースの形をした送出導管は、源と呼吸装置の間に通じる。任意には、システムは、呼吸装置から真空源まで伸びる戻し導管を備える掃気装置を含むことができる。
【０００４】
従来技術は、たくさんの個人呼吸装置を多数の構造配置で考案した。一般に吸入マスクまたはフェースマスクと呼ばれる、これらの個人呼吸装置は、様々な機能の役に立つ。例えば、他のものが鼻だけを受けるのに対して、患者の口および鼻をおおって広がるマスクは公知である。一般に、マスクは、ガス送出導管の取付けのための取付け部品を含む。ある場合には、呼気弁はマスクに組み込まれて、周囲空気が入るのを防止する。
【０００５】
排出したガスの収集および処理に対する重要性を鑑み、当業者は、掃気弁アタッチメント、吸入マスクと一緒に用いる掃気フード、および掃気回路等の吸入マスクと一緒に用いる様々な解決策を開発した。これらの従来例が最初は適切にみえたけれども、従来技術の掃気解決策に内在する構造上の複雑さは、満足がより少ないと判明し、それによって、引き続き技術上改良を必要とした。
【発明の概要】
【０００６】
本発明の原理によれば、個人（その個人は、呼吸可能なガスを受けるための、そして排気ガスを放出するための呼吸器を含む顔面領域を含む）に呼吸可能なガスを投与するための、そして個人から排気ガスを排出するための装置は、本体、真空ホース、および掃気弁を含む。本体は、カップ形であり、第１の側部および第２の側部を含み、そして呼吸器を囲むために顔面領域に接触して受け取ることができる。吸入部材は本体の第１の側部から伸びる。放出部材は本体の第２の側部から伸びる。真空ホースは真空源を放出部材に連結するためにある。掃気弁は真空ホースに連結する。吸入部材は、本体へ呼吸可能なガスを投与するためにあり、放出部材は、排気ガスを本体から真空ホースに排出するためにあり、そして掃気弁は、排気ガスをそれを通して真空ホースから大気に排出するためにある。本体は、本体の内部を画成する内面を含み、吸入部材は、更に、呼吸可能なガスを吸入部材の入口から内部へ投与するためにあり、そして放出部材は、更に、排気ガスを放出部材の入口を通して内部から真空ホースに排出するためにある。本体の内面の凹形表面輪郭は、吸入部材の出口から放出部材の入口まで伸びる。呼吸可能なガスが、吸入部材の出口から内部に加えられるときに、凹形表面輪郭は、吸入部材の出口と協働して、吸入部材の出口から内部への呼吸可能なガスの層流を形成する。排気ガスが内部に吐き出されるときに、凹形表面輪郭は、放出部材の入口と協働して、内部から放出部材の入口への排気ガスの層流を形成する。掃気弁は、更に、それを通して大気から真空ホースに入るガス流を使用不能にするためにある。
【０００７】
本発明の原理によれば、個人（その個人は、呼吸可能なガスを受けるための、そして排気ガスを放出するための呼吸器を含む顔面領域を含む）に呼吸可能なガスを投与するための、そして排気ガスを個人から排出するための装置は、本体、真空ホース、および掃気弁を含む。本体は、カップ形であり、第１の側部および第２の側部を含み、そして呼吸器を囲むために顔面領域に接触して受け取ることができる。吸入部材は本体の第１の側部から伸びる。放出部材は本体の第２の側部から伸びる。真空ホースは真空源を放出部材に連結する。掃気弁は放出部材と真空源の間で真空ホースに連結する。吸入部材は、本体中へ呼吸可能なガスを投与するためにあり、放出部材は、排気ガスを本体から真空ホースに排出するためにあり、そして掃気弁は、それを通して真空ホースから大気に放出部材と真空源の間で排気ガスを排出するためにある。本体は、本体の内部を画成する内面を含み、吸入部材は、更に、呼吸可能なガスを吸入部材の入口から内部へ投与するためにあり、そして放出部材は、更に、排気ガスを放出部材の入口を通して内部から真空ホースに排出するためにある。本体の内面の凹形表面輪郭は、吸入部材の出口から放出部材の入口まで伸びる。呼吸可能なガスが、吸入部材の出口から内部に加えられるときに、凹形表面輪郭は、吸入部材の出口と協働して、吸入部材の出口から内部への呼吸可能なガスの層流を形成する。排気ガスが内部に吐き出されるときに、凹形表面輪郭は、放出部材の入口と協働して、内部から放出部材の入口への排気ガスの層流を形成する。掃気弁は、更に、それを通して大気から真空ホースに入るガス流を使用不能にするためにある。
【０００８】
本発明の原理によれば、個人（その個人は、呼吸可能なガスを受けるための、そして排気ガスを放出するための呼吸器を含む顔面領域を含む）に呼吸可能なガスを投与するための、そして個人から排気ガスを排出するための装置は、本体および人工呼吸器回路を含む。本体は、カップ形であり、第１の側部および第２の側部を含み、そして呼吸器を囲むために顔面領域に接触して受け取ることができる。吸入部材は本体の第１の側部から伸びる。放出部材は本体の第２の側部から伸びる。人工呼吸器回路は、ガス供給源を吸入部材に連結する送出ホース、真空源を放出部材に連結する真空ホース、および放出部材と真空源の間で真空ホースに連結する掃気弁を含む。送出ホースは、呼吸可能なガスをガス供給源から吸入部材へ送出するためであり、吸入部材は、呼吸可能なガスを本体中へ投与するためであり、放出部材は、排気ガスを本体から真空ホースに排出するためであり、そして掃気弁は、それを通して真空ホースから大気に放出部材と真空源の間で排気ガスを排出するためにある。本体は、本体の内部を画成する内面を含み、吸入部材は、更に、呼吸可能なガスを吸入部材の入口から内部へ投与するためにあり、そして放出部材は、更に、排気ガスを放出部材の入口を通して内部から真空ホースに排出するためにある。本体の内面の凹形表面輪郭は、吸入部材の出口から放出部材の入口まで伸びる。呼吸可能なガスが、吸入部材の出口から内部に加えられるときに、凹形表面輪郭は、吸入部材の出口と協働して、吸入部材の出口から内部への呼吸可能なガスの層流を形成する。排気ガスが内部に吐き出されるときに、凹形表面輪郭は、放出部材の入口と協働して、内部から放出部材の入口への排気ガスの層流を形成する。掃気弁は、更に、それを通して大気から真空ホースに入るガス流を使用不能にするためにある。
【図面の簡単な説明】
【０００９】
【図１】個人（その個人は、呼吸可能なガスを受けるための、そして排気ガスを放出するための呼吸器を含む顔面領域を含む）に呼吸可能なガスを投与するための、そして排気ガスを放出するための、そして個人から排気ガスを排出するための吸入装置の斜視図であり、吸入装置は、マスク、および呼吸可能なガスをマスクに送出するための、且つマスクから排気ガスを排出するための人工呼吸器回路を含み、人工呼吸器回路は、ガス供給源をマスクの吸入部材に連結する送出ホース、真空源をマスクの放出部材に連結する真空ホース、および排気ガスを真空ホースから大気へマスクから離れた位置で排出するために真空ホースに連結する掃気弁を含む。
【図２】図１に対応する部分斜視図であり、マスクの吸入部材に連結する送出ホースを例示し、そしてマスクの放出部材に連結する真空ホースを例示する。
【図３】図１に対応する部分斜視図であり、マスクの吸入部材に連結する送出ホースを例示し、そしてマスクの放出部材に連結する真空ホースを例示する。
【図４】図１に対応する部分分解図であり、送出ホースおよび真空ホースをそれぞれ吸入部材および放出部材に連結するためのアダプタを示す。
【図５】図１に対応するマスクの斜視図である。
【図６】図１に対応するマスクの斜視図である。
【図７】図１に対応するマスクの斜視図である。
【図８】図１に対応するマスクの斜視図である。
【図９】図１に対応するマスクの斜視図である。
【図１０】図１に対応するマスクの斜視図である。
【図１１】図１に対応するマスクの斜視図である。
【図１２】図１に対応するマスクの斜視図である。
【図１３】図１に対応するマスクの斜視図である。
【図１４】図１に対応する部分斜視図であり、送出ホースを掃気弁に連結する継手を例示する。
【図１５】図１に対応する部分斜視図であり、送出ホースを掃気弁に連結する継手を例示する。
【図１６】図１４および１５に対応する分解図である。
【発明を実施するための形態】
【００１０】
本発明は、とりわけ、個人（その個人は、呼吸可能なガスを受けるための、そして排気ガスを放出するための呼吸器を含む顔面領域を含む）に呼吸可能なガスを投与するための、そして個人から排気ガスを排出するための新規な改良型吸入装置を提供する。
【００１１】
類似の参照符号がいくつかの図を通じて対応要素を示す図面を参照すると、注意は最初に図１に向けられて、そこでは、個人（その個人は、呼吸可能なガスを受けるための、そして排気ガスを放出するための呼吸器を含む顔面領域を含む）に呼吸可能なガスを投与するための、そして個人から排気ガスを排出するための吸入装置２０が示される。吸入装置２０は、マスク２１、および呼吸可能なガスをマスク２１に送出するための、マスク２１から排気ガスを排出するための、そしてマスク２１と関連して遠隔位置で排気ガスを大気に排出するための人工呼吸器回路２２を含む。
【００１２】
関連部品の図５〜１３を参照すると、マスク２１は本体３０を含む。本体６０は、カップ形であり、呼吸器を囲むために顔面領域に接触して受け取ることができて、一体的に形成される。本体３０は、両側部３１および３２、本体３０の前部の正面の中間３３、吸入部材３５、および放出部材３６を含む。吸入部材３４は、本体３０の側部３１から広がって、放出部材３５は、本体３０の側部３２から広がる。本体３０は、後方に向けられた外縁端４６で終端する。端３６は、本体３０の後部の本体３０の終端部分である。本体３０は、外面３７および内面３８を更に含む。内面３８は、本体３０の前部の方へ本体３０の後部で端４０から内向きに伸びて、マスク２１の本体３０の内部４０を囲む。本体３０は、個人の外部の呼吸器、具体的には鼻を受けるようにサイズ設定される。端３６は、鼻を囲む顔面領域に接触して受けられるように輪郭をつけられる。端３６が鼻を囲む顔面領域に接触して受けられるときに、内部４０は個人の鼻を受ける。本体３０は、典型的な商標ＫＲＡＴＯＮ（登録商標）の下で見つかる熱可塑性エラストマー等の可撓性弾性体から成形される。端３６は、それと密閉係合して顔面領域に接触して柔軟に受けられるように容易に変形可能である。マスク２１は、使い捨てでありえる。しかしながら、マスク２１は、使用の間の適切な清掃の後に、例えば高圧滅菌によって再利用できる。
【００１３】
吸入部材３４は、呼吸可能なガスを本体３０に、具体的には本体３０の内部４０に投与するためにあり、そして放出部材３５は、本体３０から、具体的には本体２１の内部４０から排気ガスを排出するためにある。吸入部材３４、導管は、入口５２から内部４０を通って出口５３まで伸びる孔５１を画成する円筒形内面５０Ａを有する円筒側壁５０である。吸入部材３４は、出口５３から、内部４０と連通して、入口５２まで本体３０の側部３１から後方に角張って突出する。放出部材３５、導管は、出口６２から内部４０を通って入口６３まで伸びる孔６１を画成する円筒形内面６０Ａを有する円筒側壁６０である。放出部材３５は、入口６３から、内部４０と連通して、出口６２まで本体３０の側部３２から後方に角張って突出する。
【００１４】
図１を参照すると、人工呼吸器回路２２は、ガス供給源７１をマスク２１の吸入部材３４に連結するための可撓性送出ホース７０、真空源７３をマスク２１の放出部材３５に連結するための可撓性真空ホース７２、およびマスク２１から離れて、さもなければマスク２１から離れている位置で排気ガスを真空ホース７２から大気へ排出するためにマスク２１から離れて真空ホース７２に連結する掃気弁７５を含む。ガス供給源７１は、呼吸可能なガスを送出ホース７０に送出するためにあり、送出ホース７０は、呼吸可能なガスをガス供給源７１から吸入部材３４に送出するためにあり、吸入部材３４は、それに加えられる呼吸可能なガスを送出ホース７０から本体３０に、具体的には本体３０の内部４０に投与するためにあり、放出部材３５は、排気ガスを本体３０から、具体的には本体３０の内部４０から真空ホース７２に排出するためにあり、掃気弁７５は、マスク２１から離れた位置で放出部材３５と真空源７３の間で排気ガスをそれを通って真空ホース７２から大気に排出するためにあり、そして真空源は、排気ガスを本体３０から、具体的には本体３０の内部４０から放出部材３５を通して真空ホース７２に引くために真空を真空ホース７２に印加するためにある。
【００１５】
図１、２、および３において、送出ホース７０の出口端７０Ａは、１つのコネクタ８０Ａを備えた吸入部材３４の円筒側壁５０の入口５２に連結し、そして真空ホース７２の入口端７２Ａは、別の同一のコネクタ８０Ａを備えた放出部材３５の円筒側壁６０の出口６２に連結している。コネクタ８０Ａは、呼吸可能なガスを吸入部材３４に流入させるためにあり、そしてコネクタ８０Ｂは、放出部材３５から排気ガスを導通するためにある。
【００１６】
コネクタ８０Ａおよび８０Ｂは、同一である。図４において、コネクタ８０Ａおよび８０Ｂは、それぞれ、対向端８２および８３を有する円筒形本体８１およびそれを通って端８２から端８３まで伸びる孔８４を含む。コネクタ８０Ａの端８２は、吸入部材３４の入口５２の中で噛合して、且つ密封して係合可能であり、そしてコネクタ８０Ａの端８３は、送出ホース７０の出口端７０Ａの中で噛合して、且つ密封して係合可能である。コネクタ８０Ｂの端８２は、放出部材３５の出口６２の中で噛合して、且つ密封して係合可能であり、そしてコネクタ８０Ｂの端８３は、真空ホース７２の入口７２Ａの中で噛合して、且つ密封して係合可能である。
【００１７】
図１、２、および３において、送出ホース７０の出口端７０Ａは、コネクタ８０Ａを備えた吸入部材３４の円筒側壁５０の入口５２に連結し、そして真空ホース７２の入口端７２Ａは、コネクタ８０Ｂを備えた放出部材３５の円筒側壁６０の出口６２に連結し、コネクタ８０Ａは、呼吸可能なガスを吸入部材３４に流入させるためにあり、そしてコネクタ８０Ｂは、放出部材３５から排気ガスを導通するためにある。送出ホース７０は、コネクタ８０Ａを備えた吸入部材３４の入口５２に連結する出口端７０Ａからガス供給源７１まで伸びる。真空ホース７２は、コネクタ８０Ｂを備えた放出部材３５の出口６２に連結する入口端７２Ａから真空源７３まで伸びる。図１において、真空ホース７２に連結する掃気弁７５は、マスク２１から離れて配置されて、マスク２１から離れている位置に放出部材３５と真空源７３の間にある。
【００１８】
使用中、ガス供給源７１は、呼吸可能なガスを送出ホース７０に加え、それは呼吸可能なガスを吸入部材３４に送る。吸入部材３４は、次に、ユーザによる吸入のために、呼吸可能なガスを送出ホース７０から本体３０に、具体的には本体３０の内部４０に送る。ユーザによる放出に応じて、放出部材３５は、吐き出された／排気ガスを本体３０から、具体的には本体３０の内部４０から真空ホース７２に導通する。真空源７３は、吐き出された／排気ガスを放出部材３５から真空ホース７２中に外向きに、そして真空ホース７２を通して掃気弁７５に引き、それは、吐き出された／排気ガスをそれを通して真空ホース７２から大気に本体３０から離れている掃気弁７５の位置で排出する。掃気弁７５は一方向弁であり、それは、それを通る真空ホース７２から大気までの吐き出された／排気ガスの流れを可能にして、それを通る大気から真空ホース７２へのガス流を使用不能にし、そして吐き出された／排気ガスを放出部材３５から真空ホース７２中に外向きに、そして真空ホース７２を通して掃気弁７５に引くための真空ホース７３の真空を維持するために真空源７３の性能を妨げない。
【００１９】
本体３０から離れた位置で真空ホース７２に連結する掃気弁７５の位置は、掃気弁７５が本体３０から離れている掃気弁７５の位置で排気ガスを真空ホース７２から大気に排出するかまたは噴出することを可能にし、それは、本発明の原理に従って、マスク２１をつけている患者の顔面領域の歯または他の部分に作用するときに、掃気弁７５から噴出される排気ガスが歯科または医療従事者により吸入されることを不能にする。掃気弁７５での真空ホース７２からの排気ガスの放出も、排気ガスが真空源７３に引かれることを不能にする。
【００２０】
図１において、真空ホース７２は、２つのホース構成要素、すなわち、近位の真空ホース部分７２’および遠位の真空ホース部分７２’’を含む。近位の真空ホース部分７２’は、コネクタ８０Ｂを備えた放出部材３５の出口６２に連結する入口端７２Ａから掃気弁７５に連結する図１および１４の出口端７２Ｂまで伸び、そして遠位の真空ホース部分７２’’は、図１および１４の掃気弁７５に連結する入口端７２Ｃから図１の真空源７３まで伸びる。図１６において、従来の掃気弁である掃気弁７５は、入口端９０および出口端９１を含む。掃気弁７５の入口端９０は、近位の真空ホース部分７２’の出口端７２Ｂの中で噛合して、且つ密封して係合可能であり、そして掃気弁７５の出口端９１は、遠位の真空ホース部分７２’’の入口端７２Ｃの中で噛合して、且つ密封して係合可能である。
【００２１】
だから、従って、図１において、近位の真空ホース部分７２’は、放出部材３５から掃気弁７５まで伸び、そして遠位の真空ホース部分７２’’は、掃気弁７５から真空源７３まで伸びる。放出部材３５は、吐き出された／排気ガスを本体３０から、具体的には本体３０の内部４０から近位の真空ホース部分７２’に導通する。真空源７３は、吐き出された／排気ガスを外向きに放出部材３５から近位の真空ホース部分７２’に、そして近位の真空ホース部分７２’を通して掃気弁７５に引き、掃気弁７５は、吐き出された／排気ガスをそれを通して近位の真空ホース部分７２’から大気に排出する。また、掃気弁７５は一方向弁であり、それは、それを通る真空ホース７２から大気までの吐き出された／排気ガスの流れを可能にして、それを通る大気から真空ホース７２を形成する近位および遠位の真空ホース部分７２’および７２’’へのガス流を使用不能にし、そして遠位の真空ホース部分７２’’および近位の真空ホース部分７２’の真空を維持するために真空源７３の性能を妨げない。
【００２２】
図１および１４〜１６において、掃気弁７５は、送出ホース７０と真空ホースを一緒に結び／保持するために、そして送出ホース７０および真空ホース７２が引き離されて、互いと離れて無計画に散乱することをできなくするために、カラー１００によって送出ホース７０に連結する。送出ホース７０は、スカベンジャー７５と一体的に形成されるカラー１００を通って伸びる。
【００２３】
図９〜１３において、内面３８は、表面輪郭１１０を備えて形成される。表面輪郭１１０は、凹形であり、マスク３１の本体３０の後部で端３６から離れて内向きに前面の中間点３３の方へ湾曲しており、細長く、図９、１２、および１３の吸入部材３４の出口５３から前面の中間点３３を横切って図１０、１１、および１３の放出部材３５の入口６３まで本体３０に沿って横断して広がる半割管構造を画成する。表面輪郭１１０は、出口５３で吸入部材５０の円筒側壁５０の内面５０Ａに当接する。表面輪郭１１０は、入口６３で放出部材６０の円筒側壁６０の内面６０Ａに当接する。更にまた、輪郭１００の固有の湾曲は、それぞれ、出口５３および入口６３で円筒側壁５０および６０の内面５０Ａおよび６０Ａの固有の湾曲に対応して当接する。記載されている輪郭１１０と円筒側壁５０および６０の内面５０Ａおよび６０Ａと出口５３と入口６３との間のこの記載されている構造配置の結果、呼吸可能なガスが吸入部材３４の出口５３から内部４０に加えられるときに、輪郭１１０は、図９、１２、および１３の吸入部材３４の出口５３と協働して、出口５３から内部４０への呼吸可能なガスの層流を形成し、そして排気ガスが内部４０に吐き出されるときに、図１０、１１、および１３の放出部材３５の入口５２と協働して、内部４０から入口６２への排気ガスの層流を形成する。呼吸可能なガスが内部４０に入って輪郭１１０と相互作用するときに、輪郭１１０により形成される呼吸可能なガスの層流は、内部４０のユーザの呼吸器への呼吸可能なガスの層流の印加が吸入を改善するためにユーザの呼吸器に呼吸可能なガスを集中させることを可能にする。本発明によれば、ユーザが呼吸器によって息を吐き出して、輪郭１１０と相互作用して、排気ガスが内部４０に吐き出されるときに、輪郭１１０により形成される排気ガスの層流は、内部４０から放出部材３５の入口６３への排気ガスの層流の印加が入口６３への排気ガスを放出部材３５に集中させて、内部４０からの、そして真空ホース７２への排気ガスの排出を改善することを可能にする。
【００２４】
本発明は、例示の実施形態に関して上に記載された。しかしながら、当業者は、改変と変更態様が本発明の性質および範囲を逸脱せずに実施形態になすことができることを認識するであろう。説明のために本願明細書において選択された実施形態に対するさまざまな改変と変更態様は、当業者には容易に思いつくであろう。この種の変更態様および変化が本発明の精神から逸脱しない程度まで、それらはその範囲の中に含まれることを意図する。
本発明は、当業者がそれを理解して実施できるように、明白で簡潔な用語で完全に記載された。
【図１】
2019517876.tif 000003
【図２】
2019517876.tif 000004
【図３】
2019517876.tif 000005
【図４】
2019517876.tif 000006
【図５】
2019517876.tif 000007
【図６】
2019517876.tif 000008
【図７】
2019517876.tif 000009
【図８】
2019517876.tif 000010
【図９】
2019517876.tif 000011
【図１０】
2019517876.tif 000012
【図１１】
2019517876.tif 000013
【図１２】
2019517876.tif 000014
【図１３】
2019517876.tif 000015
【図１４】
2019517876.tif 000016
【図１５】
2019517876.tif 000017
【図１６】
2019517876.tif 000018
【国際調査報告】
2019517876.tif 000019